(57)【特許請求の範囲】
【請求項１】
ＬＥＤ照明用の電力波形に送信データの変調信号及び局部発信周波数信号が重畳された信号を受信し、
当該受信した信号に基づいてＬＥＤ駆動信号を生成する駆動回路を備えたＬＥＤ照明装置において、
前記変調信号に対して前記局部発信周波数信号を乗算する乗算手段を設け、前記乗算手段によって変換された信号に基づいてＬＥＤ駆動信号を生成し、
前記乗算手段は、前記ＬＥＤ照明用の電力波形に重畳され受信した局部発振周波数信号と前記送信データを示す信号とをそれぞれ抽出して乗算し、この乗算された信号に基づいてＬＥＤ駆動信号を生成することを特徴とするＬＥＤ照明装置。
【請求項２】
ＬＥＤ照明用の電力波形にベースバンドの信号及び局部発信周波数信号が重畳された信号を受信し、
当該受信した信号に基づいてＬＥＤ駆動信号を生成する駆動回路を備えたＬＥＤ照明装置において、
前記ベースバンドの信号に対して前記局部発信周波数信号を乗算する乗算手段を設け、前記乗算手段によって変換された信号に基づいてＬＥＤ駆動信号を生成し、
前記乗算手段は、前記ＬＥＤ照明用の電力波形に重畳され受信したベースバンド信号と前記局部発信周波数信号とをそれぞれ抽出して乗算し、この乗算された信号に基づいてＬＥＤ駆動信号を生成することを特徴とするＬＥＤ照明装置。
【発明の詳細な説明】
【技術分野】
【０００１】
本発明は、可視光通信用ＬＥＤ照明装置に関するもので、特にＬＥＤの駆動回路の出力信号が入力側に回り込んで発振することを防止したＬＥＤ照明装置に係る。
【背景技術】
【０００２】
最近、ＬＥＤを使用した可視光通信システムが提案されている（特許文献１から特許文献４参照）。このような可視光通信システムの１つとして、天井などに設置した照明装置に使用されるＬＥＤと、この照明装置の照射範囲内に位置するヘッドセットやＰＤＡなどの携行型の通信端末との間で、通信を行うものがある。このシステムでは、電力線に通信用の信号を重畳させ、この信号に応じて点灯したＬＥＤを発振させることで送信が行われる。
【０００３】
すなわち、このシステムでは、ＬＥＤを点灯するための電力波形に送信データを変調（符号化）した信号を重畳させて照明装置に供給する。照明装置では、前記電力波形上の変調された信号を取り出し、その信号をＬＥＤ駆動回路に供給する。ＬＥＤ駆動回路は、この信号に基づいて、前記送信データに対応した波形を有する駆動信号を生成し、この駆動信号波形に基づいてＬＥＤを点滅（光量変化も含む）させる。
【先行技術文献】
【特許文献】
【０００４】
【特許文献１】特開２００４−１４７０６３号公報
【特許文献２】特開２００９−２６０８４２号公報
【特許文献３】特開２００９−２１９０３２号公報
【特許文献４】特開２００９−２２５１９６号公報
【発明の概要】
【発明が解決しようとする課題】
【０００５】
ところで、前記のような駆動回路によってＬＥＤを点滅させる場合、ＬＥＤ駆動用の信号波形として大振幅のものが要求されることから、このＬＥＤ駆動用の信号が駆動回路の入力側に回り込み、入力信号と共振して発振するおそれがある。このような発振が生じると、駆動回路に供給される信号波形に乱れを生じ、電力波形に重畳した送信データと駆動回路で生成するＬＥＤ駆動信号との同一性が確保できなくなる。同様なことは、ベースバンド信号を電力波形に重畳して送信し、照明装置側でＡＭ変調或いはＦＭ変調する場合にも生じる。
【０００６】
本発明は前記のような従来技術の問題点を解決するために提案されたものであって、その目的は、大振幅のＬＥＤ駆動用の信号波形が駆動回路から出力される場合であっても、その駆動信号の入力側への回り込みによる発振がなく、送信データの同一性が確保できる可視光通信用ＬＥＤ照明装置を提供することにある。
【課題を解決するための手段】
【０００７】
前記の目的を達成するため、本発明は、ＬＥＤ照明用の電力波形に送信データを示す信号を重畳してＬＥＤ照明装置に送信し、この照明装置で受信した信号に基づいてＬＥＤ駆動信号を生成する駆動回路を備えた可視光通信用ＬＥＤ照明装置において、前記送信データを示す信号に対してその周波数を変換する手段を設け、この周波数変換手段によって変換された信号に基づいてＬＥＤ駆動信号を生成し、前記周波数変換手段として、前記照明用の電力波形に局部発振周波数信号を重畳しておき、この局部発信周波数と送信データを示す信号とを乗算し、この乗算された信号に基づいてＬＥＤ駆動信号を生成することを特徴とする。なお、本発明において、送信データを示す信号とは、送信データを変調した信号及びベースバンドの信号を含む。
【０００８】
前記周波数変換手段としては、前記照明用の電力波形にベースバンド信号を重畳しておき、このベースバンド信号と送信データを示す信号とを乗算し、この乗算された信号に基づいてＬＥＤ駆動信号を生成することもできる。
【発明の効果】
【０００９】
前記のような構成を有する本発明の可視光通信用ＬＥＤ照明装置では、大振幅のＬＥＤ駆動信号を出力しても、その信号が入力側に回り込んで送信データを示す信号が発振することがないので、送信データの欠損、ノイズの混入などの不都合が防止され、可視光通信の信頼性向上が可能になる。
【図面の簡単な説明】
【００１０】
【図１】本発明のＬＥＤ照明装置を適用する可視光通信システムの一例を示す配線図。
【図２】本発明のＬＥＤ照明装置の実施例１を示すブロック図。
【図３】本発明のＬＥＤ照明装置の実施例２を示すブロック図。
【図４】本発明のＬＥＤ照明装置の実施例３を示すブロック図。
【発明を実施するための形態】
【実施例１】
【００１１】
以下、本発明の実施例１を図１及び図２に従って具体的に説明する。
図１において、符号１は本発明において、照明用及び可視光通信用として使用されるＬＥＤである。本実施例において、複数個のＬＥＤ１が、電源及び信号を供給する同軸ケーブル２によって、カスケード接続されている。この同軸ケーブル２は、各ＬＥＤ１の発光を制御したり、各ＬＥＤ１を通じて端末から受信した信号を処理する親機３に接続され、更に、公衆回線網４などの外部ネットワークにも接続されている。
【００１２】
この同軸ケーブル２は、ＬＥＤ照明用の電力波形に、前記親機３からの送信データを変調した信号を重畳してＬＥＤ照明装置に送信するもので、親機３には送信データを変調して送信用の信号とするための変調器が設けられている。この場合、送信データを電力波形に重畳して各照明装置に送信する手段としては、公知のものが適宜採用できる。
【００１３】
データ通信のための変調方式は、同期信号に関して、同期信号を送信しない方式（ＮＯ−ＳＹＮＣ方式）と同期信号を別途送信する方式（ＳＹＮＣ方式）、また、送信データを親機側でＦＭ或いはＡＭ変調する方式と、送信データをベースハンドで電力波形に重畳して照明装置側でＦＭ或いはＡＭ変調する方式がある。この実施例１は、親機側で送信データを変調して、同期信号は送らない方式である。
【００１４】
各ＬＥＤ１の近傍（通信範囲）には、ヘッドセット５やＰＤＡ６などの端末が配置（作業員が携行）されている。この端末としては、必ずしもヘッドセットやＰＤＡに限定されることなく、可視光通信を行うことが可能なものであれば、どのようなものでも使用可能である。この端末と各ＬＥＤ１とは、可視光通信システムによって信号を授受するが、必ずしも双方向可視光通信である必要はなく、ダウンリンクを可視光通信とし、アップリンクを赤外線通信としても良い。
【００１５】
図２は、実施例１の照明装置における駆動回路部分のブロック図である。図２において、１０は、同軸ケーブル２からＬＥＤ照明装置に対する電力及び信号分岐器である。この分岐器１０には、照明用の電力波形と送信データを変調した信号が供給されている。信号分岐器１０の出力側には、バンドパスフィルタ１１及びリミッタ１２が設けられている。このリミッタ１２の出力側には、本発明の周波数変換手段である逓倍回路１３が設けられている。この逓倍回路１３からの出力がＬＥＤ駆動回路１４に接続されている。
【００１６】
このような構成を有する実施例１では、分岐器１０を経由して受信した変調信号（例えば、１ＭＨｚの周波数）の雑音成分をバンドパスフィルタ１１によって除去して信号波形(a)を得る。信号波形(a)をリミッタ１２で波形成形して得られた信号波形(b)を逓倍回路１３によって２倍の周波数（例えば、２ＭＨｚ）に変換し、信号波形(c)を得る。この逓倍回路１３からの信号波形(c)に基づいて、駆動回路１４にてＬＥＤを駆動するための信号が生成される。この場合、駆動回路１４では、周波数の変換は行わず、振幅を増大させることで、ＬＥＤを信号波形に合わせて点滅（光量変化も含む）させるに足る大振幅の駆動信号(d)を得る。
【００１７】
このように、実施例１においては、逓倍回路１３により入力側の信号(a)に比較して２倍の周波数をもった信号(c)を生成し、これにより入力信号(a)とは異なる周波数の駆動信号(d)を得ている。その結果、駆動信号(d)がたとえ大振幅でも、入力側に回り込んで発振を生じさせることがない。
【実施例２】
【００１８】
図３は、本発明の実施例２の駆動回路部分を示すブロック図である。この実施例２は、同軸ケーブルに電力波形、送信データの変調信号に加えて、同期信号として局部発信周波数信号を重畳したものである。
【００１９】
実施例２では、例えば、変調信号を３ＭＨｚとした場合に、局部発信周波数信号の周波数は１０ＭＨｚとする。この局部発信周波数信号の存在により、複数のＬＥＤ照明装置を併設した場合においても、各照明装置におけるＬＥＤの駆動、すなわち各照明装置から発信される可視光通信データの同一性、同時性を確保できる。
【００２０】
この実施例２では、分岐器１０に接続されたバンドパスフィルタ２１の後段に増幅器２２を設けると共に、前記分岐器１０からは前記バンドパスフィルタ２１とは並列に局部発信周波数信号のバンドパスフィルタ２３を設け、その出力側に増幅器２４を設ける。前記バンドパスフィルタ２１からの出力信号とこの局部発信周波数信号は後段の乗算器２５に入力され、この乗算器２５からの出力が駆動回路２６に入力される。
【００２１】
このような構成を有する実施例２においては、同軸ケーブル２からの変調信号はバンドパスフィルタ２１を通過して雑音を除去されて信号波形(a)となり、増幅器２２によって増幅されて信号波形(b)となる。一方、局部発信周波数信号は、バンドパスフィルタ２３を通過して信号波形(c)となり、さらに増幅器２４によって増幅され信号波形(d)となる。ここで、変調信号から得られた信号波形(b)と局部発信周波数信号から得られた信号波形(d)は、図示のようにその周波数が異なっている。
【００２２】
この２つの系統の信号波形を乗算器２５によって乗じることで、変調信号から得られた信号波形(b)とは周波数の異なる信号波形(e)を得ることができる。この信号波形(e)に基づいて、駆動回路２６ではＬＥＤ駆動用の信号波形(f)を生成する。その結果、この実施例２でも、入力側の信号(a)とは異なる周波数のＬＥＤ駆動信号(f)を得ることができ、駆動信号(d)がたとえ大振幅でも、入力側に回り込んで発振を生じさせることがない。
【実施例３】
【００２３】
図４は、本発明の実施例３の駆動回路部分を示すブロック図である。この実施例３は、同軸ケーブルに電力波形とベースバンドの信号に加えて、同期信号として局部発信周波数信号を重畳したものである。すなわち、この実施例３では、親機側では送信データの変調を行わずに、ベースバンドの信号をそのまま電力波形に重畳し、受信したベースバンドの送信データを照明装置側でＦＭ或いはＡＭ変調する。
【００２４】
この実施例３では、分岐器１０から入力されたベースバンドの信号を入力するバンドパスフィルタ３１と、その後段に増幅器３２を設ける。一方、前記分岐器１０から、ベースバンド信号の入力系統とは並列に局部発信周波数信号の入力系統を設け、そこにローパスフィルタ３３を設ける。前記ベースバンド信号とこの局部発信周波数信号は後段の乗算器３４に入力され、この乗算器３４からの出力が駆動回路３５に入力される。
【００２５】
このような構成を有する実施例３においては、同軸ケーブル２からのベースバンド信号は、バンドパスフィルタ３１を通過して雑音を除去されて信号波形(a)となり、増幅器３２によって増幅されて信号波形(b)となる。一方、局部発信周波数信号は、ローパスフィルタ３３を通過して信号波形(c)となる。
【００２６】
この２つの系統の信号波形を乗算器３４によって乗じることで得られた信号波形(d)に基づいて、駆動回路３５ではＬＥＤ駆動用の信号波形(e)を生成する。その結果、この実施例３でも、入力側の信号(a)とは異なる周波数のＬＥＤ駆動信号(e)を得ることができ、駆動信号(e)がたとえ大振幅でも、入力側に回り込んで発振を生じさせることがない。
【符号の説明】
【００２７】
１…ＬＥＤ
２…同軸ケーブル
３…親機
４…公衆回線
５…ヘッドセット
６…ＰＤＡ
１０…分岐器
１１…バンドパスフィルタ
１２…リミッタ
１３…逓倍回路
１４…ＬＥＤ駆動回路
２１…バンドパスフィルタ
２２…増幅器
２３…バンドパスフィルタ
２４…増幅器
２５…乗算器
２６…駆動回路
３１…バンドパスフィルタ
３２…増幅器
３３…ローパスフィルタ
３４…乗算器
３５…駆動回路
【図１】
0005474667.tif 000002
【図２】
0005474667.tif 000003
【図３】
0005474667.tif 000004
【図４】
0005474667.tif 000005